(57)【要約】【課題】デジタル放送において快適なチャンネル選局操作を実現させる。【解決手段】本発明のコンテンツ受信装置５は、選局したチャンネルに対応する映像コンテンツを取得する第１のコンテンツ取得部１１と、複数のチャンネル各々に対応する複数の映像コンテンツを合成して得られた合成コンテンツを取得する第２のコンテンツ取得部１４と、第１のコンテンツ取得部１１による選局の切替えが行われた場合に、新たに選局されたチャンネルに対応する映像コンテンツを合成コンテンツの中から抽出すると共に、抽出した映像コンテンツを表示出力させるための処理を行うデータ抜き出し加工部１６と、抽出された映像コンテンツの表示出力を、第１のコンテンツ取得部１１により選局切替後に取得された映像コンテンツの表示出力に切り替えるコンテンツ選択部１７とを備える。【選択図】図４
2008066770.tif 000002
【特許請求の範囲】
【請求項１】
選局したチャンネルに対応する映像コンテンツを取得する第１のコンテンツ取得部と、
複数のチャンネル各々に対応する複数の映像コンテンツを合成して得られた合成コンテンツを取得する第２のコンテンツ取得部と、
前記第１のコンテンツ取得部による選局の切替えが行われた場合に、新たに選局されたチャンネルに対応する映像コンテンツを前記合成コンテンツの中から抽出する映像抽出部と、
前記映像抽出部により抽出された前記映像コンテンツの表示出力を行う抽出コンテンツ出力部と、
前記抽出コンテンツ出力部による前記抽出された映像コンテンツの表示出力を、前記第１のコンテンツ取得部により選局切替後に取得された映像コンテンツの表示出力に切り替える出力切替部と、
を具備することを特徴とするコンテンツ受信装置。
【請求項２】
前記第１のコンテンツ取得部により取得される映像コンテンツ及び前記合成コンテンツの合成前の複数の映像コンテンツは、音声コンテンツを含んで構成され、
前記抽出コンテンツ出力部及び前記出力切替部は、映像コンテンツの表示出力と共に前記音声コンテンツを音声出力し、さらに前記表示出力が切り替えられるタイミングで、前記音声コンテンツの出力を可変するフェードアウト処理及びフェードイン処理を行うことを特徴する請求項１記載のコンテンツ受信装置。
【請求項３】
コンテンツを送信するコンテンツ送信装置とこのコンテンツ送信装置から送信されたコンテンツを受信するコンテンツ受信装置とを備えたコンテンツ送受信システムであって、
前記コンテンツ送信装置が、
個別に選局した複数のチャンネル各々に対応する複数の映像コンテンツを取得し取得したこれらの映像コンテンツを合成して合成コンテンツを生成する合成コンテンツ生成部と、
前記合成コンテンツ生成部により生成された前記合成コンテンツを送信する合成コンテンツ送信部とを備え、
前記コンテンツ受信装置が、
選局したチャンネルに対応する映像コンテンツを取得する第１のコンテンツ取得部と、
前記コンテンツ送信装置の前記合成コンテンツ送信部により送信された前記合成コンテンツを取得する第２のコンテンツ取得部と、
前記第１のコンテンツ取得部による選局の切替えが行われた場合に、新たに選局されたチャンネルに対応する映像コンテンツを前記合成コンテンツの中から抽出する映像抽出部と、
前記映像抽出部により抽出された前記映像コンテンツの表示出力を行う抽出コンテンツ出力部と、
前記抽出コンテンツ出力部による前記抽出された映像コンテンツの表示出力を、前記第１のコンテンツ取得部により選局切替後に取得された映像コンテンツの表示出力に切り替える出力切替部と、
を具備することを特徴とするコンテンツ送受信システム。
【請求項４】
前記第１のコンテンツ取得部により取得される映像コンテンツ及び前記合成コンテンツの合成前の複数の映像コンテンツは、音声コンテンツを含んで構成され、
前記抽出コンテンツ出力部及び前記出力切替部は、映像コンテンツの表示出力と共に前記音声コンテンツを音声出力し、さらに前記表示出力が切り替えられるタイミングで、前記音声コンテンツの出力を可変するフェードアウト処理及びフェードイン処理を行うことを特徴する請求項３記載のコンテンツ送受信システム。
【請求項５】
個別に選局した複数のチャンネル各々に対応する複数の映像コンテンツを取得し取得したこれらの映像コンテンツを合成して合成コンテンツを合成コンテンツ生成部が生成するステップと、
前記合成コンテンツ生成部が生成した前記合成コンテンツを合成コンテンツ送信部が送信するステップと、
選局したチャンネルに対応する映像コンテンツを第１のコンテンツ取得部が取得するステップと、
前記合成コンテンツ送信部により送信された前記合成コンテンツを第２のコンテンツ取得部が取得するステップと、
前記第１のコンテンツ取得部による選局の切替えが行われた場合に、新たに選局されたチャンネルに対応する映像コンテンツを前記合成コンテンツの中から映像抽出部が抽出するステップと、
前記映像抽出部により抽出された前記映像コンテンツの表示出力を抽出コンテンツ出力部が行うステップと、
前記抽出コンテンツ出力部による前記抽出された映像コンテンツの表示出力を、前記第１のコンテンツ取得部により選局切替後に取得された映像コンテンツの表示出力に出力切替部が切り替えるステップと、
を有することを特徴とするコンテンツ送受信方法。
【発明の詳細な説明】
【技術分野】
【０００１】
本発明は、デジタル放送の伝送用として圧縮符号化されたトランスポートストリームなどのコンテンツを処理するコンテンツ受信装置、コンテンツ送受信システム、及びコンテンツ送受信方法に関する。
【背景技術】
【０００２】
デジタル放送において、複数のチャンネルの映像信号を合成してサービス用映像信号を生成すると共に、マルチビュー機能を有するデータコンテンツを同時に送出するようにし、さらに、サービス用映像信号のそれぞれをマルチビュー機能により生成されたマルチ画面の一コマ毎に表示し、このマルチ画面に表示されているサービス用映像信号の映像を指定したときに、当該指定された映像のチャンネルに切り替えるようにしたチャンネル選択方法が提案されている（例えば、特許文献１参照）。
【０００３】
このチャンネル選択方法では、受信機の画面に表示するマルチ画面に映像を表示させて適宜チャンネルを選択するようにすること及びＯＳＤ（On Screen Display）表示するニュースなどの情報を適宜視聴者の好みに応じて表示形態を設定することができる。
【特許文献１】特開２００２−２８１４０６号公報
【発明の開示】
【発明が解決しようとする課題】
【０００４】
しかしながら、上述したデジタル放送などに対応する一般の放送受信装置では、チャンネル切替えの際に、いわゆるチャンネルホッピングと呼ばれる現象に起因する、出力映像信号のフリーズ（停止）状態が生じてしまうことが課題として挙げられる。チャンネルホッピングの主な原因としては、チューナ切替え動作において、チューナの復号動作が安定するまで時間がかかることや、例えばＭＰＥＧ２符号化データなどが、時間軸及び空間軸において連続性のないパケットデータとして転送されてくることなどが要因として例示される。このようなチャンネルホッピングに起因する出力映像信号の停止状態は、短時間ではあるものの、その改善を図りたいところである。
【０００５】
そこで本発明は、上記課題を解決するためになされたもので、チャンネル選局に伴う所望のコンテンツが画面表示されるまでの期間の短縮化を図ることで、快適なチャンネル選局操作を実現させることができるコンテンツ受信装置、コンテンツ送受信システム、及びコンテンツ送受信方法の提供を目的とする。
【課題を解決するための手段】
【０００６】
上記目的を達成するために、本発明に係るコンテンツ受信装置は、選局したチャンネルに対応する映像コンテンツを取得する第１のコンテンツ取得部と、複数のチャンネル各々に対応する複数の映像コンテンツを合成して得られた合成コンテンツを取得する第２のコンテンツ取得部と、前記第１のコンテンツ取得部による選局の切替えが行われた場合に、新たに選局されたチャンネルに対応する映像コンテンツを前記合成コンテンツの中から抽出する映像抽出部と、前記映像抽出部により抽出された前記映像コンテンツの表示出力を行う抽出コンテンツ出力部と、前記抽出コンテンツ出力部による前記抽出された映像コンテンツの表示出力を、前記第１のコンテンツ取得部により選局切替後に取得された映像コンテンツの表示出力に切り替える出力切替部と、を具備することを特徴とする。
【発明の効果】
【０００７】
本発明によれば、チャンネル選局に伴う所望のコンテンツが表示されるまでの期間の短縮化を図ることで、快適なチャンネル選局操作を実現させることが可能なコンテンツ受信装置、コンテンツ送受信システム及びコンテンツ送受信方法を提供できる。
【発明を実施するための最良の形態】
【０００８】
以下、本発明を実施するための最良の形態を図面に基づき説明する。
図１は、本発明の実施形態に係るコンテンツ送受信システム１の構成を示す機能ブロック図、図２は、このコンテンツ送受信システム１を構成するコンテンツ送信装置３の構成を示す機能ブロック図である。また、図３は、図２のコンテンツ送信装置３が送信するトランスポートストリームの構造を示す図であり、図４は、図１のコンテンツ送受信システム１を構成するコンテンツ受信装置５の構成を示す機能ブロック図である。
【０００９】
図１に示すように、この実施形態のコンテンツ送受信システム１は、図３に示すコンテンツとしてのトランスポートストリーム２０を送信するコンテンツ送信装置３とこのコンテンツ送信装置３から送信されたトランスポートストリーム２０を受信するコンテンツ受信装置５とを備える。コンテンツ送信装置３は、放送局２ａ〜２ｃ…の少なくとも放送チャンネルに対応する数の複数のチューナ６ａ〜６ｄ…、及び複数のデコーダ７ａ〜７ｄ…を備える。ただし、時分割処理が可能である場合はこの限りではない。さらに、コンテンツ送信装置３は、コンテンツ合成部８、エンコーダ９及び送信部１０を備える。
【００１０】
すなわち、コンテンツ送信装置３のチューナ６ａ〜６ｄ…は、放送局２ａ〜２ｃ…を個別に選局し、複数のチャンネル各々に対応する複数のデジタルコンテンツを取得し、チューナ６ａ〜６ｄは、アンテナを介して受信したＨＤＴＶ（High Definition Television）などのデジタルの放送波をトランスポートストリームとして復調する。デコーダ７ａ〜７ｄ…は、このストリームを映像データ及び音声データにデコードし、コンテンツ合成部８に送信する。コンテンツ合成部８は、この映像データ及び音声データを合成した後、これをエンコーダ９側に送信する。これを受信したエンコーダ９は、映像データ及び音声データを圧縮符号化する。つまり、これらチューナ６ａ〜６ｄ…、デコーダ７ａ〜７ｄ…、及びコンテンツ合成部８は、合成コンテンツ生成部として機能する。
【００１１】
合成コンテンツ送信部としての送信部１０は、コンテンツをコンテンツ受信装置５側に送信できるようにするために、エンコーダ９によって圧縮符号化されたエレメンタリストリーム（ＥＳ： Elementary Stream）を伝送用にパケット化した図３に示す１つのトランスポートストリーム２０を作成する。トランスポートストリーム２０は、１パケット１８８バイトのパケット列から構成されており、ＰＥＳヘッダ（PES header）２５、２７をそれぞれ備える映像ＰＥＳ（Packetized Elementary Stream）２４及び音声ＰＥＳ２６が各々分割されて格納された映像ペイロード（Payload）２２及び音声ペイロード２３と、ＴＳヘッダ（TS header）２１とを有する。
【００１２】
図３に示すように、ＴＳヘッダ２１は、同期バイト（sync byte）、ＰＩＤ（Packet Identifier）３２などを有する。同期バイトは、パケットの同期を取るための情報であり、ＴＳヘッダ２１の先頭を表すシーク用の８ビットのマーカとして機能する。つまり、トランスポートストリーム２０は、１パケットが１８８バイトの固定長であるため、１８８バイトごとに同期バイトが出現することになる。
【００１３】
ＰＩＤは、パケットの種別を示すパケット識別子であって、映像ＰＥＳ２４と音声ＰＥＳ２６とはそれぞれ異なる一意に決められたＰＩＤ値を持つ。つまり、トランスポートストリームは、映像ＰＥＳ２４、音声ＰＥＳ２６それぞれを、ＴＳパケット化しＴＳレイヤ（階層）で多重化を行うものであるが、ＴＳパケットのレイヤで、ＰＩＤにより各ＰＥＳを識別可能なので、ＴＳパケットのＰＩＤをチェックすれば、ＰＥＳを多重分離することが可能となる。したがって、トランスポートストリーム２０側を受信するコンテンツ受信装置５側において、合成コンテンツであるこのストリームをチャンネル毎に対応していた合成前の一つのコンテンツとして切り分ける場合などには、このＰＩＤなどが例えば参照される。
【００１４】
また、図３に示すように、ＰＥＳ（映像ＰＥＳ／音声ＰＥＳ）２４、２６は、上述したＰＥＳヘッダ２５、２７とＰＥＳパケットデータバイト（PES Packet Data Byte）と称するＥＳ本体とから構成され、ＴＳパケット化される場合、ＰＥＳの先頭バイトが、ＴＳパケットの上記ペイロードの先頭バイトとなるようにパケット化される。
【００１５】
ＰＥＳヘッダ２５、２７は、パケット開始符号プリフィックス、ストリームＩＤ（Stream Id）、ＰＥＳパケット長、ＰＴＳ ＤＴＳフラグ（Pts_Dts Flags）、ＰＴＳ（Presentation Time Stamp）を有する。
【００１６】
パケット開始符号プリフィックスは、パケット開始符号の先頭２４ビットを示し、ストリームＩＤと合わせた３２ビットでＰＥＳ２４、２６の先頭を示す開始符号となる。ストリームＩＤは、ＰＥＳ２４、２６のデータの識別子である。ＰＥＳパケット長は、このフィールドより後からＰＥＳパケットの最終位置までのデータ長（ＰＥＳパケットのサイズ）を示す。ＰＴＳは、同期用の提示時刻情報の値であって、ＥＳをデコード表示する開始時刻、及びＥＳを音としてデコード出力する開始時刻を示す時刻データである。
【００１７】
ＰＴＳ ＤＴＳフラグ４１は、ＰＴＳ、ＤＴＳ（Decoding Time Stamp：復号時刻情報）のフィールドの存在を示す２ビットのフラグであって、値「１０」でＰＴＳのみの存在を示し、値「１１」でＰＴＳとＤＴＳが存在することを示す。つまり、上記「１０」のように、ＰＴＳ ＤＴＳフラグの値が、ＰＴＳの存在を示す場合、ＰＴＳフィールドが、ＰＥＳヘッダ中に存在することになる。
【００１８】
一方、コンテンツ受信装置５は、図４に示すように、第１のコンテンツ取得部１１、第２のコンテンツ取得部１４、デコード部１２、１５、データ抜き出し加工部１６、バッファ１９、コンテンツ選択部１７、映像音声出力部１８、及び各部を統括的に制御する制御部２８を有する。第１のコンテンツ取得部１１は、図１に示す放送局２ａ〜２ｃ…のうちの、選局したチャンネルに対応する映像コンテンツ及び音声コンテンツを、アンテナを介して受信した放送波から取得する例えばチューナなどを有する。詳述すると、第１のコンテンツ取得部１１は、放送波に多重化された音声信号、映像信号などをそれぞれ分離してデコード部１２へ出力する。デコード部１２は、分離した音声信号、映像信号をそれぞれ復号して、復号されたデジタル音声信号、デジタル映像信号をバッファ１９側に出力する。バッファ１９側から出力されたデジタル音声信号、デジタル映像信号は、コンテンツ選択部１７及び映像音声出力部１８を通ってテレビなどの表示装置に出力される。
【００１９】
第２のコンテンツ取得部１４は、コンテンツ送信装置３の送信部１０から送信されてくるトランスポートストリーム２０、すなわち、複数のチャンネル各々に対応する複数の映像コンテンツ及び複数の音声コンテンツを合成して得られた合成コンテンツを取得する。第２のコンテンツ取得部１４は、バックグラウンドで取得した合成コンテンツをデコード部１５側に出力する。デコード部１５は、この合成コンテンツをデコードして、データ抜き出し加工部１６に出力する。
【００２０】
ここで、制御部２８が、データ抜き出し加工部１６、バッファ１９、コンテンツ選択部１７及び映像音声出力部１８と協働して行うチャンネル切り替え時の映像出力及び音声出力の切り替え制御について説明する。ここで、図５は、データ抜き出し加工部１６が主に行う合成コンテンツの合成画像から抽出される切り抜き拡大表示を模式的に示す図である。また、図６は、図５の切り抜き拡大表示の一例を示す図であり、図７は、チャンネル切り替え時の初期から終期までの切り抜き拡大表示の過渡的な表示例を示す図である。
【００２１】
すなわち、データ抜き出し加工部１６は、第１のコンテンツ取得部１１による選局が切替えられた場合に、図７に示すように、新たに選局されたチャンネルに対応する映像コンテンツ（及び音声コンテンツ）を合成コンテンツの中から抽出する映像抽出部として機能する。選局されたチャンネルに対応するコンテンツを合成コンテンツから抽出するための切り分け部分を検出するための情報は、図３に示した例えばＰＥＳヘッダ２５、２７内に記録された情報から得られる。
【００２２】
詳述すると、図５は、ＨＤ（High Definition）サイズの合成コンテンツ（合成画像）３１を１２分割し、それぞれの領域が個々のチャンネルに対応したデータ、つまりチャンネルコンテンツデータであり、全体が１２分割されている例を示している。ＨＤ画像を分割しているため、この例では解像度は１／１２となる。例えば、視聴者が１ｃｈから９ｃｈにチャンネルを切り替えた時、この例では、データ抜き出し加工部１６は、左下にある９ｃｈのコンテンツを切り抜き（抽出して）、切り抜き拡大表示画像３２とするための表示出力を行う。また、コンテンツ選択部１７は、切り抜かれた映像コンテンツの表示出力を、第１のコンテンツ取得部１１により選局切替後に取得された映像コンテンツの表示出力に切り替える。なお、上述した全体が分割されている合成画像は、チャンネル一覧データとして出力でき、視聴者に非常に有益である。さらに、このコンテンツを録画することで、低解像度ではあるものの、全チャンネルを録画することが可能になる。ここで、本実施形態では、１２分割の例を示しているが、本発明は分割数を任意に選択しても効果が得られることに違いはない。
【００２３】
また、図６に示すように、中央部分を低圧縮画像３５として構成し、また、その外枠部分を高圧縮画像３４として構成した切り抜き拡大表示画像３３を適用することで、切り抜き拡大表示が、低解像度であることを視覚的わかり難くするようにしてもよい。また、図７に示すように、切り抜き拡大表示画像３６が表示されてから、第１のコンテンツ取得部１１による選局切替後に取得された映像コンテンツが表示出力されるまでの過程では、初期段階において、外縁部分を除いて比較的大きく表示させていた切り抜いた画像表示部分３７ａを、中サイズの画像表示部分３７ｂ、小サイズの画像表示部分３７ｃといったように段階的に小さくして行き、画像の切り替えが目立たなくなるように、データ抜き出し加工部１６を構成してもよい。なお、図６、図７に示した例を互いに組み合わせてコンテンツ受信装置５に構成してもよい。また、図６の例では、圧縮の大小が２段階であったが、３段階以上の圧縮の変化をつけてもよい。また、この他、毎秒あたりのフレーム数を少なくする、圧縮のひとつの単位である例えばＧＯＰを長くする、ピクセル間隔を大きくする、などといった方法が例示される。しかしながら、デジタル放送に関連する規格に準拠することにより広く使われている技術を用いて構成できるというメリットは大きい。
【００２４】
ここで、音声コンテンツについて説明する。
データ抜き出し加工部１６が、図５に例示する合成コンテンツ画像３１を切り抜き、切り抜き拡大表示画像３２とするための表示出力を行うとき、及びコンテンツ選択部１７が、切り抜かれた映像コンテンツの表示出力を、第１のコンテンツ取得部１１により選局切替後に取得された映像コンテンツの表示出力に切り替えるときに、これらデータ抜き出し加工部１６及びコンテンツ選択部１７は、音声コンテンツを同時に音声出力する。データ抜き出し加工部１６及びコンテンツ選択部１７は、表示出力が切り替えられるタイミングで、音声コンテンツの出力を可変するフェードアウト処理及びフェードイン処理が行われるように映像音声出力部の動作制御を制御部２８と協働して行う。
【００２５】
すなわち、音声を高速に切り替えるとノイズが発生するため、上述したフェードアウト処理、フェードイン処理を行うことが望ましい。この構成は、チャンネルをザッピング的に切り替えるときに特に有効である。また、音声は映像に比べ、視聴者が識別するのに長い時間がかかる。以上の理由により、表示出力が切り替えられるタイミングで、一定期間、音声を出力させない方法も有効である。一般的に音声は、映像に比べ、データ量が少なく、処理負荷が軽いため高速にデコードすることが可能である。さらに、複数のチャンネルの音声を合成して出力することが実質的に必要なく、所望のチャンネルのみをデコードする。このような理由から、映像と同様に音声も別々のストリームとして処理される。
【００２６】
次に、チャンネル切り替え時の映像出力の切り替え制御について図８〜図１０に示すフローチャートに基づき説明を行う。ここで、図８は、チャンネル切り替え時の映像出力の切り替え制御を全体的に示すフローチャートであり、図９は、図８のフローチャートのＳ４の合成画像からの抜き出し加工に関する処理を詳細に示すフローチャートである。また、図１０は、図８のフローチャートのＳ８の合成コンテンツとチャンネルコンテンツとの同期をとるための処理を詳細に示すフローチャートである。
【００２７】
すなわち、図８に示すように、制御部２８は、コンテンツ選択部１７で一旦データの出力を停止させ（Ｓ１）、どのチャンネルが選局（選択）されたのかを判別する（Ｓ２）。制御部２８は、選局されたチャンネルのコンテンツが、合成コンテンツ中のどこにあるのかを識別し、データ抜き出し加工部１６へ通知する（Ｓ３）。データ抜き出し加工部１６は、制御部２８に指定されたデータを抜き出して映像を拡大し（Ｓ４）、音声をアップサンプリングし、コンテンツ選択部１７へデータを送信する。コンテンツ選択部１７は、制御部２８より合成コンテンツを表示出力するよう指示され（Ｓ５）、テレビなどの表示装置にコンテンツの抜き出された映像が図５に示すように表示される。
【００２８】
ここで、第２のコンテンツ取得部１４は、合成コンテンツを常に取得し、さらにデコード部１５が常にデコード処理を行っている。これにより、チャンネル選局切替時に表示すべきコンテンツであるチャンネルデータは、即座に表示可能な状態になっている。すなわち、チャンネル切り替え時に合成コンテンツより表示すべきチャンネルデータが選択され、さらにこれが切り抜き拡大表示されるという一連の動作は短時間で処理され、視聴者側では高速にチャンネルが切り替わったと感じられる。
【００２９】
次に合成コンテンツから切り出した低解像度の拡大表示画像から、高解像度のコンテンツに切り替える動作について述べる。
制御部２８は、第１のコンテンツ取得部１１に、新たに選局されたチャンネルに対応するチャンネルコンテンツを取得するよう指示を出す。第１のコンテンツ取得部１１は、選択されたチャンネルコンテンツを取得し（Ｓ６）、これをデコード部１２がデコードする（Ｓ７）。コンテンツ選択部１７は、コンテンツのデータが届いた後、各コンテンツの同期を取り、出力を、低解像度の切り抜き拡大表示画像からチャンネルコンテンツへ切り替える（Ｓ８）。この時点で、低解像度の画像から高解像度の画像へコンテンツ表示が切り替わり、視聴者は高精細な画像を視聴することができる。
【００３０】
さらに、合成画像からの抜き出し加工に関する処理について詳述すると、図９に示すように、データ抜き出し加工部１６は、チャンネルコンテンツと合成コンテンツの位置情報を比較し（Ｓ１１）、仮想Ｘ，Ｙ座標を算出する（Ｓ１２）。さらに、データ抜き出し加工部１６は、仮想Ｘ，Ｙ座標の画面を抜き出して（Ｓ１３）、スケールを拡大した後（Ｓ１４）、画面出力を行う（Ｓ１５）。
【００３１】
また、合成コンテンツとチャンネルコンテンツとの同期をとるための処理について詳述すると、図１０に示すように、バッファ１９にデータが蓄積された状態において（Ｓ２１のＹＥＳ）、チャンネル（ｃｈ）コンテンツと合成コンテンツとのＰＥＳヘッダ中のＰＴＳが比較される（Ｓ２２）。チャンネルコンテンツよりも、合成コンテンツのほうがＰＴＳのタイミングが先の場合（Ｓ２３のＹＥＳ）、強制的にコンテンツの切り替え処理が行われる（Ｓ２６）。一方、チャンネルコンテンツよりも、合成コンテンツのほうがＰＴＳのタイミングが後の場合（Ｓ２３のＮＯ）、互いのＰＴＳのタイミングが一致しているか否かが判定される（Ｓ２４）。不一致の場合（Ｓ２４のＮＯ）、所定時間の経過を待って（Ｓ２５）、互いのＰＴＳのタイミングが一致した後（Ｓ２４のＹＥＳ）、コンテンツの切り替え処理が行われる（Ｓ２６）。また、例えば、予めチャンネルコンテンツと合成コンテンツのそれぞれでシーンチェンジを検出し、その時間差を求めておくことで、同期を取ることもできる。このとき、データの一時的な保存を行う領域としてバッファ１９が利用される。
【００３２】
既述したように、本実施形態に係るコンテンツ送受信システム１によれば、チャンネル選局に伴う所望のコンテンツが表示されるまでの期間の短縮化を図ることで、快適なチャンネル選局操作を実現させることができる。
【００３３】
以上、本発明を実施の形態により具体的に説明したが、本発明は前記実施形態にのみ限定されるものではなく、その要旨を逸脱しない範囲で種々変更可能である。例えば、上述した実施形態では、コンテンツのやり取りが放送波の送受信で行われていたが、これに限定されることなく、ケーブルテレビなどで利用されるケーブル通信や、またインターネットを介しての通信や携帯通信などを利用することもできる。また、図８に示したフローチャートでは、チャンネル切り替え前にデコードされていたチャンネルデータを切り替え表示していたが、これに代えて、チャンネル切り替え後にチャンネルデータをデコードするようにしてもよい。
【図面の簡単な説明】
【００３４】
【図１】本発明の実施形態に係るコンテンツ送受信システムの構成を示す機能ブロック図。
【図２】図１のコンテンツ送受信システムを構成するコンテンツ送信装置の構成を示す機能ブロック図。
【図３】図２のコンテンツ送信装置が送信するトランスポートストリームの構造を示す図。
【図４】図１のコンテンツ送受信システムを構成するコンテンツ受信装置の構成を示す機能ブロック図。
【図５】データ抜き出し加工部が主に行う合成コンテンツの合成画像から抽出される切り抜き拡大表示を模式的に示す図。
【図６】図５の切り抜き拡大表示の一例を示す図。
【図７】チャンネル切り替え時の初期から終期までの切り抜き拡大表示の過渡的な表示例を示す図。
【図８】チャンネル切り替え時の映像出力の切り替え制御を全体的に示すフローチャート。
【図９】図８のフローチャートのＳ４の合成画像からの抜き出し加工に関する処理を詳細に示すフローチャート。
【図１０】図８のフローチャートのＳ８の合成コンテンツとチャンネルコンテンツとの同期をとるための処理を詳細に示すフローチャート。
【符号の説明】
【００３５】
１…コンテンツ送受信システム、２ａ〜２ｃ…放送局、３…コンテンツ送信装置、５…コンテンツ受信装置、６ａ〜６ｄ…チューナ、７ａ〜７ｄ…デコーダ、８…コンテンツ合成部、９…エンコーダ、１０…送信部、１１…第１のコンテンツ取得部、１４…第２のコンテンツ取得部、１６…データ抜き出し加工部、１７…コンテンツ選択部、１８…映像音声出力部、２０…トランスポートストリーム、２８…制御部、３１…合成コンテンツ画像、３２，３３，３６…切り抜き拡大表示画像。
【図１】
2008066770.tif 000003
【図２】
2008066770.tif 000004
【図３】
2008066770.tif 000005
【図４】
2008066770.tif 000006
【図５】
2008066770.tif 000007
【図６】
2008066770.tif 000008
【図７】
2008066770.tif 000009
【図８】
2008066770.tif 000010
【図９】
2008066770.tif 000011
【図１０】
2008066770.tif 000012